(57)【特許請求の範囲】
【請求項１】
基板上に複数のキャピラリを並べたキャピラリアレイの両端からレーザ光を照射し、当該レーザ光が隣接するキャピラリを次々と伝搬して複数のキャピラリを横断し、複数のキャピラリから発生する発光を検出する電気泳動装置であって、
レーザ光源から発振されたレーザ光を２つに分岐する無偏光ビームスプリッタと、
レーザ光を反射しながら、レーザ光軸が重さなるように、２つのレーザ光をキャピラリアレイの両端から照射する、ｓ偏光，ｐ偏光のそれぞれの位相を変えない反射特性のミラーと、
分岐する前の経路に配置された偏光子及びλ／４板を備えており、
λ／４板は、透過戻り光及び反射戻り光がそれぞれ２度通過し、
偏光子は、λ／４板により位相が９０度回転した透過戻り光及び反射戻り光が到達するように配置されていることを特徴とする電気泳動装置。
【請求項２】
請求項１記載の電気泳動装置において、
固体レーザをレーザ光源として用いることを特徴とする電気泳動装置。
【発明の詳細な説明】
【技術分野】
【０００１】
本発明は核酸やタンパク質等を電気泳動により分離分析する技術に関し、例えば、キャピラリ電気泳動装置に関する。
【背景技術】
【０００２】
ＤＮＡの塩基配列及び塩基長の決定等を目的として、キャピラリを用いた電気泳動法が用いられている。キャピラリ電気泳動装置においては、複数のキャピラリに励起光を照射する必要があるが、複数のキャピラリへの光照射方式の一つに、特開２００１−３２４４７２号公報（特許文献１）に記載されているマルチフォーカス方式がある。
【０００３】
この方式では、蛍光色素によって標識されたＤＮＡを含む試料をキャピラリ内に導入し、１列に並べられた複数のキャピラリを伝播するようにレーザ光を照射している。平面基板上に並んだ複数のキャピラリからなるキャピラリアレイの一方あるいは両側の端のキャピラリにレーザ光を照射する。レーザ光は、隣接するキャピラリに次々と伝搬してキャピラリアレイを横断する。キャピラリに照射されたレーザ光によって、蛍光標識されたＤＮＡは蛍光を発する。キャピラリアレイから発生する発光は、光検出器によって検出される。キャピラリの各々からの蛍光を測定することにより、各キャピラリに導入された試料のＤＮＡ解析を行うことができる。タンパク質等の解析を行う場合も同様である。
【０００４】
マルチフォーカス方式においては、反射及び透過戻り光によるレーザ不安定が生じる。具体的には、キャピラリアレイの一方の端からレーザ光を照射する場合、キャピラリアレイ表面からの反射光がレーザ発振器に戻り、レーザの発振を不安定にするという問題がある。また、キャピラリアレイの両側の端からレーザ光を照射する場合には、キャピラリアレイ表面からの反射光だけでなく、キャピラリアレイを通過した光がレーザ発振器に戻ってしまいレーザ発振を不安定にするという問題がある。これらを解決するために、特開２００１−３２４４７２号公報（特許文献１）では、キャピラリアレイの両端から導入するレーザ光に角度を設ける手法が用いられている。
【０００５】
【特許文献１】特開２００１−３２４４７２号公報
【発明の開示】
【発明が解決しようとする課題】
【０００６】
本願発明者が、マルチフォーカス方式の分析性能向上について鋭意検討した結果、次のような課題が判明した。
【０００７】
特開２００１−３２４４７２号公報（特許文献１）のように、キャピラリからの透過戻り光を防ぐために、キャピラリ両端からのレーザ光軸に角度をつけ、両側からの照射強度がほぼ等しくなるキャピラリアレイの中心付近でレーザ位置を合わせた場合、キャピラリアレイの両端付近では両端からのレーザ位置がずれるため、レーザは見かけ上太くなる。
【０００８】
また、反射戻り光を防ぐために、キャピラリ軸に対してレーザ光が傾きを持っている場合、入射レーザの反射が、空気／キャピラリ外壁，キャピラリ内壁／ゲルの界面において発生する。それらの反射光は、キャピラリ軸に対して傾いているため、複数回の反射光が入射光と異なる軸で生じ、結果、見かけ上、レーザ光の径は太くなる。
【０００９】
実質的にキャピラリに照射されるレーザ光は、太くなり、またレーザ光の強度分布は、理想的なガウス曲線ではなく、底面が幅広くなる。そのことにより、計測したデータにスペクトルシフトをもたらし、マトリックス変換後に大きな擬似信号が生じる。
【００１０】
キャピラリ電気泳動装置を用いた人物特定などのフラグメント解析では、この擬似信号の低減が求められる。このため、キャピラリへの入射レーザ光の幅は、狭い必要がある。理想的には、キャピラリ両側のレーザ光が、一直線になるときに、入射レーザ光径は、もっとも狭くなる。
【００１１】
キャピラリアレイが形成する平面に対する前記２つの入射レーザ光の正射影がほぼ平行ではない場合、２つのレーザ光が同軸である場合に比べて、２つのレーザ光を加えた場合のレーザビーム径が大きくなってしまうために、蛍光検出における空間分解能が低下する恐れがある。すなわち、電気泳動において、試料中のＤＮＡ合成物はキャピラリ内を移動し、分子量の大きさ等によってキャピラリ内で空間的に分離され、キャピラリ内にＤＮＡバンドを生じるわけであるが、これらのＤＮＡバンドの分解検出能力が低下する可能性がある。
【００１２】
このような問題を回避するためには、前記２つのレーザ光の中心どうしがキャピラリアレイの中央付近で重なることが望ましい。このようにすることによって、レーザビーム径の拡大を最小限に食い止めることができる。
【００１３】
本発明の目的は、キャピラリアレイの両側からレーザ光を照射するマルチフォーカス方式の電気泳動装置において、空間分解能を向上させることに関する。
【課題を解決するための手段】
【００１４】
本発明は、キャピラリアレイの両側の端のキャピラリに、それぞれレーザ光を照射し、前記２つのレーザ光のそれぞれが、複数のキャピラリを横断するキャピラリアレイ電気泳動装置において、キャピラリアレイへ両端から導入されるレーザ光軸を同軸上とし、キャピラリ軸に垂直かつキャピラリアレイ配列平面に対して水平なレーザ光軸とし、レーザ光軸上にλ／４板と偏光子を配置することに関する。
【発明の効果】
【００１５】
本発明により、キャピラリへの入射レーザ光の幅が狭くなり、擬似信号が発生しなくなり、分析性能が向上する。
【発明を実施するための最良の形態】
【００１６】
以下、上記及びその他の本発明の新規な特徴と利益を、図面を参酌して説明する。ただし、図面はもっぱら解説のためのものであって、本発明の範囲を限定するものではない。
【００１７】
以下の実施例では、複数のキャピラリを平面状に並べたキャピラリアレイの両端からレーザ光を照射し、当該レーザ光が隣接するキャピラリを次々と伝搬して複数のキャピラリを横断し、複数のキャピラリから発生する発光を検出し、キャピラリアレイへ両端から導入されるレーザ光軸を同軸上とし、キャピラリ軸に垂直かつキャピラリアレイ配列平面に対して水平なレーザ光軸とし、レーザ光軸上にλ／４板と偏光子を配置し、透過戻り光及び、反射戻り光を阻止する電気泳動装置を開示する。
【００１８】
また、基板上に複数のキャピラリを並べたキャピラリアレイの両端からレーザ光を照射し、当該レーザ光が隣接するキャピラリを次々と伝搬して複数のキャピラリを横断し、複数のキャピラリから発生する発光を検出し、レーザ光軸が重さなるように、２つのレーザ光をキャピラリアレイの両端から照射し、透過戻り光及び、反射戻り光が、それぞれ２度通過するようにλ／４板が配置され、前記λ／４板により位相が９０度回転した透過戻り光及び、反射戻り光が到達するように偏光子が配置されている電気泳動装置を開示する。
【００１９】
また、固体レーザをレーザ光源として用いることを開示する。
【００２０】
また、レーザ光源から発振されたレーザ光をビームスプリッタにより２つに分岐してキャピラリアレイの両側から照射し、分岐する前の経路に偏光子を配置し、分岐した後の経路にそれぞれλ／４板を配置することを開示する。
【００２１】
また、レーザ光源から発振されたレーザ光を無偏光ビームスプリッタにより２つに分岐してキャピラリアレイの両側から照射し、分岐する前の経路に偏光子とλ／４板を配置することを開示する。
【００２２】
また、レーザ光源から発振されたレーザ光をビームスプリッタにより２つに分岐してキャピラリアレイの両側から照射し、分岐した後の経路にそれぞれ偏光子とλ／４板を配置することを開示する。
【００２３】
また、ｓ偏光，ｐ偏光のそれぞれの位相を変えない反射特性のミラーによりレーザ光を反射することを開示する。
【実施例１】
【００２４】
図１は、本実施例にかかる電気泳動装置の概略図である。以下、図１を参照して、本装置の構成について説明する。
【００２５】
本装置は、サンプルを光学的に検出するための検出部１１６，キャピラリを恒温に保つための恒温槽１１８，キャピラリ陰極端に様々な容器を搬送するための搬送機１２５，キャピラリに高電圧を加えるための高圧電源１０４，高圧電源から発せられる電流を検出するための第１電流計１０５，陽極側電極に流れる電流を検出するための第２電流計１１２，単数もしくは複数本のキャピラリ１０２により構成されるキャピラリアレイ１１７，キャピラリにポリマーを注入するためのポンプ機構１０３により構成される。
【００２６】
キャピラリアレイ１１７は、１６本のキャピラリを含む交換部材であり、ロードヘッダ１２９，検出部１１６、及びキャピラリヘッドを含む。測定手法を変更する場合、キャピラリアレイを置き換え、キャピラリの長さを調節する。また、キャピラリに破損や品質の劣化が見られたとき、新品のキャピラリアレイに交換する。
【００２７】
キャピラリは、内径数十〜数百ミクロン，外形数百ミクロンのガラス管で構成され、強度を向上させるために表面をポリイミドでコーティングしている。ただし、レーザ光が照射される光照射部は、内部の発光が外部に漏れやすいように、ポリイミド被膜が除去された構造になっている。キャピラリ１０２の内部は、電気泳動時に泳動速度差を与えるための分離媒体が充填される。分離媒体は流動性と、非流動性の双方が存在するが、本実施例では流動性のポリマーを用いる。
【００２８】
検出部１１６は、試料に依存した情報を取得する部材であり、励起光が照射され、試料に依存した波長の光を放出する。１６本のキャピラリの光照射部近傍を、光学フラット平面に高さ数ミクロンの精度で配列固定している。電気泳動時、略同軸の２本のレーザ光が両側から照射され、全ての光照射部を連続して透過する。このレーザ光により、試料から情報光（試料に依存した波長を有する蛍光）が生じ、光照射部から外部に放出される。この情報光を光学検出器１１５により検出して、試料を分析する。
【００２９】
キャピラリ陰極端１２７は、それぞれ金属製の中空電極１２６を通して固定されており、キャピラリ先端が中空電極１２６から０.５mm程度突き出た状態になっている。また、キャピラリ毎に装備された中空電極はすべてが一体となってロードヘッダ１２９に装着される。さらに、すべての中空電極１２６は装置本体に搭載されている高圧電源１０４と導通しており、電気泳動やサンプル導入など電圧を印加する必要がある際に陰極電極として動作する。
【００３０】
キャピラリ陰極端１２７と反対側のキャピラリ端部（他端部）は、キャピラリヘッドにより一つに束ねられている。束なり耐圧機密で着脱する部材である。キャピラリヘッドは、ブロック１０７に耐圧機密で接続できる。そして、シリンジ１０６により、他端部からキャピラリ内に新規ポリマーが充填される。キャピラリ中のポリマー詰め替えは、測定の性能を向上するために測定ごとに実施される。
【００３１】
ポンプ機構１０３は、シリンジ１０６とそのシリンジを加圧するための機構系で構成される。また、ブロック１０７はシリンジ１０６，キャピラリアレイ１１７，陽極バッファ容器１１０、およびポリマー容器１０９をそれぞれ連通させるための接続部である。
【００３２】
光学検出部は、検出部１１６を照射するための光源１１４と、検出部１１６内の発光を検出するための光学検出器１１５で構成されている。電気泳動により分離されたキャピラリ中のサンプルを検出するときは、光源１１４でキャピラリの光照射部を照射し、光照射部からの発光を光学検出器１１５で検出する。
【００３３】
恒温槽１１８は、恒温槽内を一定の温度に保つために、断熱材で覆われ、加熱冷却機構１２０により温度が制御される。また、ファン１１９が恒温槽内の空気を循環及び攪拌させ、キャピラリアレイ１１７の温度を位置的に均一かつ一定に保つ。
【００３４】
搬送機１２５は、３つの電動モータとリニアアクチュエータを備えており、上下，左右、および奥行き方向の３軸に移動可能である。また、搬送機１２５の移動ステージ１３０には少なくとも１つ以上の容器を載せることができる。さらに移動ステージ１３０には電動のグリップ１３１が備えられており、各容器を掴むことや放すことができる。このため、バッファ容器１２１，洗浄容器１２２，廃液容器１２３及びサンプル容器であるサンプルプレート１２４を必要に応じて、陰極端まで搬送できる。尚、不必要な容器は、装置内の所定収容所に保管されている。
【００３５】
装置本体１０１は、制御用コンピュータ１２８と通信ケーブルで接続された状態で使用される。オペレータは、制御用コンピュータ１２８により、装置が保有する機能を制御し、装置内の検出器で検出されるデータを授受できる。
【００３６】
図２は、本実施例における、キャピラリアレイの検出部，光学検出部、及びレーザ光の導入経路を示した模式図である。レーザ光用のシャッタやフィルタは、この分野で周知事項であり、簡略化のため省略する。図２（ａ）は概略側面図であり、図２（ｂ）は正面図である。
【００３７】
本実施例における光学検出部は、レーザ光２０２を発振する固体レーザ２０１，レーザ光２０２を分岐するビームスプリッタ２０５，レーザ光の進行方向を変える反射ミラー２０３、及びキャピラリアレイの検出部へレーザ光を集光するレーザ集光レンズ２０６を有する。固体レーザ２０１の直後には、偏光板やポラライズキューブといった一方向の偏光のみを透過させる光学素子である偏光子２０４が配置されている。また、レーザ光２０２がキャピラリ２０８へ到達する前に、レーザ光２０２の直線偏光を円偏光に変えるために、キャピラリアレイの両端には、２つの波長板（λ／４）２０７が配置される。そして、検出部から発せられる蛍光を観測することにより、ＤＮＡを検出する。
【００３８】
キャピラリアレイの検出部は、２４本のキャピラリ２０８を基準ベース２０９上にならべて固定し、形成されている。キャピラリは、石英のガラス管がポリマー薄膜で覆われたものである。検出部においては、ポリマー被膜が除去され、石英がむき出しの状態になっている。石英管の内径／外径は５０／３２０μｍ、ポリマー薄膜を含めたキャピラリ外径は３６３μｍである。キャピラリのピッチはキャピラリ外径に等しく３６３μｍ、アレイの幅は３６３μｍ×２４＝８.７mmである。基準ベース２０９上の２４本のキャピラリの中心軸が形成する平面、およびその平面を全空間に延長した仮想の平面を、キャピラリ配列平面と呼ぶ。また、キャピラリ配列平面にあって、２４本のキャピラリ軸に垂直であり、検出部の中央を貫く仮想の直線を、以下光軸基本軸２１０と呼ぶ。
【００３９】
レーザ光の光源である固体レーザ２０１から発振されたレーザ光２０２は、反射ミラー２０３により進行方向を変え、偏光子２０４を通過し、ビームスプリッタ２０５により二つに分岐される。分岐されたレーザ光は、それぞれ、反射ミラー２０３により進行方向を変え、キャピラリアレイの検出部の両側から導入される。
【００４０】
ここで、図３を用いて、本実施例にて問題としている反射戻り光と透過戻り光の概略を説明する。本図では、キャピラリアレイからの反射光と透過光を判りやすくするため、キャピラリアレイへの入射光を、キャピラリ軸に対して垂直な直線から、若干傾けて描画している。
【００４１】
キャピラリアレイにレーザ光が入射すすると、入射レーザの反射が、空気／キャピラリ外壁，キャピラリ内壁／ゲルの界面において発生する。特に、前者の界面においては、屈折率が大きいために反射光強度が大きくなる。空気／キャピラリ外壁の界面は、一本のキャピラリについて２つあるので、２４本キャピラリアレイでは、空気／外壁界面の反射は４８回ある。このキャピラリアレイからの反射戻り光３０１がレーザ光源に届くと、レーザを不安定にする。
【００４２】
また、キャピラリアレイを透過し、入射側とは反対側から放出される透過光が、透過戻り光３０２である。入射光に比べて、反射光の分だけ、減衰している。この透過戻り光３０２がレーザ光源に届くと、レーザを不安定にする。
【００４３】
戻り光対策として、本実施例では、図２に示すように、レーザ光２０２は、レーザ集光レンズ２０６と波長板（λ／４）２０７を通過し、キャピラリアレイの検出部へ照射される。ここで、レーザ集光レンズ２０６（ｆ＝６０mm）によってレーザ光は集光される。また、波長板（λ／４）２０７が、レーザ光２０２の直線偏光を円偏光に変える。キャピラリアレイの検出部の両端から導入されるレーザ光２０２は、キャピラリ配列平面に対して平行であり、光軸基本軸２１０と同軸である。
【００４４】
キャピラリアレイの端に位置し、レーザ光が導入されるキャピラリを以下、第１キャピラリとする。レーザ集光レンズ２０６と第１端キャピラリの距離は６２mmである。第１キャピラリに導入されたレーザ光は、隣接するキャピラリに次々と伝搬し、２４本のキャピラリを横断する。
【００４５】
キャピラリアレイの検出部を透過したレーザ光（透過戻り光）は、反対側の波長板（λ／４）も通過する。つまり、片側の波長板（λ／４）で円偏光にされたレーザ光２０２は、もう片方の波長板（λ／４）で、再び直線偏光にされる。この際、最初の波長板（λ／４）導入前の直線偏光方向とは、偏光方向が９０度回転している。透過戻り光は、入射レーザ光と同様の経路を経て、固体レーザ２０１の直前に配置された偏光子２０４に到達する。しかし、波長板（λ／４）２０７を２回通過したレーザ光は、偏光子２０４によって遮られるため、透過戻り光が光源まで届くことはない。
【００４６】
また、反射戻り光も透過戻り光と同様に、光源まで届かない。具体的には、キャピラリアレイの検出部により反射したレーザ光（反射戻り光）は、先ほど通過した波長板（λ／４）を再度通過する。つまり、波長板（λ／４）で円偏光にされたレーザ光２０２は、同じ波長板（λ／４）により、再び直線偏光にされる。この際、最初の波長板（λ／４）導入前の直線偏光方向とは、偏光方向が９０度回転している。透過戻り光は、いままでの経路を折り返して、固体レーザ２０１の直前に配置された偏光子２０４に到達する。しかし、波長板（λ／４）２０７を２回通過したレーザ光は、偏光子２０４によって遮られるため、反射戻り光が光源まで届くことはない。
【００４７】
尚、戻り光の偏光について、図４を用いて詳説する。キャピラリへ導入される前のレーザ光２０２は直線偏光であり、その偏光方向は偏光方向４０１である。キャピラリ２０８の手前に設けられた波長板（λ／４）２０７により、キャピラリ２０８へ到達する前に、レーザ光２０２の直線偏光は円偏光４０３に変わる。波長板（λ／４）２０７の結晶軸４０２は、偏光方向４０１に対して４５度である。キャピラリ２０８へ導入されたレーザ光２０２から、反射戻り光３０１が生じる。反射戻り光３０１の偏光は、円偏光４０３であり、再度、波長板（λ／４）２０７を通過することにより、直線偏光に戻る。この際、直線偏光の偏光方向は、偏光方向４０４となり、レーザ光２０２本来の偏光方向４０１と９０度回転したものになる。
【００４８】
また、キャピラリ２０８から透過戻り光３０２は、円偏光４０５であり、もう片方に設けられた波長板（λ／４）２０７によって、直線偏光に戻る。この際、最初の波長板（λ／４）２０７導入前の直線偏光の偏光方向４０１とは、偏光方向が９０度回転し、偏光方向４０６となる。
【００４９】
以上のように、本実施例においては、戻り光対策として、反射戻り光及び透過戻り光を防ぐことができるため、戻り光によるレーザ光源不安定を生じさせずに、キャピラリアレイ両端から導入されるレーザ光２０２が、キャピラリ配列平面に対して平行であり、光軸基本軸と同軸である電気泳動装置が提供できる。キャピラリアレイへ両端から導入されるレーザ光軸が同軸上であり、キャピラリ軸に垂直かつキャピラリアレイ配列平面に対して水平なレーザ光軸が可能となる。これにより、キャピラリへの入射レーザ光の幅が狭くなり、擬似信号が発生しなくなり、分析性能が向上する。
【００５０】
また、本実施例では、光源として、固体レーザを用いている。固体レーザの中には、戻り光に対して非常に強いものがある為、上記レーザ光軸を構成することが容易となる。
【実施例２】
【００５１】
本実施例では、実施例１と異なり、偏光子２０４の直後に波長板（λ／４）２０７を設けている。以下、実施例１との相違点を中心に、実施例２について説明する。
【００５２】
図５は、本実施例における、キャピラリアレイの検出部，光学検出部、及びレーザ光の導入経路を示した模式図である。
【００５３】
本実施例においても、レーザ光２０２は、まず波長板（λ／４）２０７を通過して、円偏光になり、キャピラリアレイに導入される。その結果生じる反射戻り光及び透過戻り光は、再度波長板（λ／４）２０７を通過して、当初の直線偏光とは９０度回転した直線偏光に戻り、偏光子２０４によって遮られる。
【００５４】
ただし、この際、無偏光ビームスプリッタ５０１を用い、円偏光を崩さない必要がある。無偏光ブームスプリッタ５０１の特性を、図６に示す。ある波長において、ｓ偏光，ｐ偏光ともに５０％の反射率及び透過率を持ち、それぞれの位相を変えない特性である。
【００５５】
本実施例においては、装置に用いる波長板（λ／４）２０７を一つとすることができる。
【実施例３】
【００５６】
本実施例では、実施例１と異なり、キャピラリアレイの両端に設けられていたレーザ集光レンズ２０６と波長板（λ／４）２０７が、反射ミラー７０１の手前に設けられる。以下、実施例１との相違点を中心に、実施例３について説明する。
【００５７】
図７は、本実施例における、キャピラリアレイの検出部，光学検出部、及びレーザ光の導入経路を示した模式図である。
【００５８】
電気泳動装置を設計する際、レーザ光２０２をキャピラリへ集光させるために必要なレーザ径や集光レンズのｆ値が決まると、レーザ集光レンズ２０６と第一キャピラリ２０８までの距離を狭めることができず、装置設計における空間的な制約が生ずる。
【００５９】
本実施例では、反射ミラー７０１の手前にレーザ集光レンズ２０６と波長板（λ／４）２０７を設けることにより、レーザ集光レンズ２０６と第一キャピラリ２０８までの距離を確保しつつ、空間的な余裕を作り、装置の小型化を実現できる。尚、反射ミラー７０１は、ｓ偏光，ｐ偏光のそれぞれの位相を変えない反射特性を有する。
【実施例４】
【００６０】
本実施例では、実施例３を更に小型化している。以下、実施例３との相違点を中心に、実施例４について説明する。
【００６１】
図８は、本実施例における、キャピラリアレイの検出部，光学検出部、及びレーザ光の導入経路を示した模式図である。
【００６２】
本実施例では、更に小型化した装置を提供するため、実施例３のレーザ光２０２の経路に、９０度ではない角度を持つ位置を設ける。これにより、実施例３では、反射ミラー２０３へは入射角度４５度，反射角度４５度と、入射−反射光の角度を９０度としていたが、本実施例では、任意の角度でレーザ光２０２を配置できる。これにより、レーザ光２０２を自由に配置することが可能となり、更なる装置小型化が実現できる。尚、無偏光ビームスプリッタ５０１を用い、円偏光を崩さない必要がある。また、反射ミラー７０１は、ｓ偏光，ｐ偏光のそれぞれの位相を変えない反射特性を有する。
【００６３】
以上、本発明の例を説明したが、本発明はこれに限定されるものではなく、特許請求の範囲に記載された発明の範囲にて様々な変更が可能であることは当業者に理解される。各実施例を適宜組み合わせることも、本発明の範囲である。
【図面の簡単な説明】
【００６４】
【図１】本実施例にかかる電気泳動装置の概略図。
【図２】本発明の第１の実施形態である固体レーザ光源を用いた場合の光学系の概略図。
【図３】反射及び透過戻り光の概略図。
【図４】本発明の第１の実施形態によるレーザ偏光方向の概略図。
【図５】本発明の第２の実施形態である固体レーザ光源を用いた場合の光学系の概略図。
【図６】本発明の第２の実施形態であるビームスプリッタの特性図。
【図７】本発明の第３の実施形態による固体レーザ光源を用いた場合の光学系の概略図。
【図８】本発明の第４の実施形態である固体レーザ光源を用いた場合の光学系の概略図。
【符号の説明】
【００６５】
１０１  装置本体
１０２，２０８  キャピラリ
１０３  ポンプ機構
１０４  高圧電源
１０５  第１電流計
１０６  シリンジ
１０７  ブロック
１０８  逆止弁
１０９  ポリマー容器
１１０  陽極バッファ容器
１１１  電極（ＧＮＤ）
１１２  第２電流計
１１３  電動バルブ
１１４  光源
１１５  光学検出器
１１６  検出部
１１７  キャピラリアレイ
１１８  恒温槽
１１９  ファン
１２０  加熱冷却機構
１２１  バッファ容器
１２２  洗浄容器
１２３  廃液容器
１２４  サンプルプレート
１２５  搬送機
１２６  中空電極
１２７  キャピラリ陰極端
１２８  制御用コンピュータ
１２９  ロードヘッダ
１３０  移動ステージ
１３１  グリップ
２０１  固体レーザ
２０２  レーザ光
２０３  反射ミラー
２０４  偏光子
２０５  ビームスプリッタ
２０６  レーザ集光レンズ
２０７  波長板（λ／４）
２０９  基準ベース
２１０  光軸基本軸
３０１  反射戻り光
３０２  透過戻り光
【図１】
0004951578.tif 000002
【図２】
0004951578.tif 000003
【図３】
0004951578.tif 000004
【図４】
0004951578.tif 000005
【図５】
0004951578.tif 000006
【図６】
0004951578.tif 000007
【図７】
0004951578.tif 000008
【図８】
0004951578.tif 000009